(57)【要約】      （修正有）【課題】シート状物品である紙石鹸を一枚ずつ取り出し得るように収納するシート状物品のパッケージを提供する。【課題の解決手段】シート状物品のパッケージ１は、折り兼切り用ミシン目３を介して単位紙石鹸２ａが連接してなる連続シートを、折り兼切り用ミシン目３でジグザグ状に折り畳んでなる折り畳み紙石鹸２を収納するようになし、前壁４と後壁５を有し、両側部と底部を閉塞するとともに上部を開放し、前壁４の中央には、開放端から底部に向って伸び、折り畳み石鹸２の幅に対応する長さをもつよう帯状に切り欠いた帯状引出部７を設けてなる。前記帯状引出部７から折り畳み紙石鹸２を引き出し得るので、単位紙石鹸２ａを一枚ずつ容易に取り出すことが可能である。【選択図】図５
0003150968.tif 000002
【実用新案登録請求の範囲】
【請求項１】
折り兼切り部を介して単位シートが連接してなる連続シートを、折り兼切り部でジグザグ状に折り畳んでなる折り畳みシート状物品を収納するシート状物品のパッケージであって、前壁と後壁を有し、両側部と底部を閉塞するとともに上部を開放した前壁の中央には、開放端から底部に向って伸び、シート状物品の幅に対応する長さをもつよう帯状に切り欠いた帯状引出部を設けてなり、前記シート状物品の折り兼切り部が前記両側部内側に沿うように、かつ前記前後壁間に挟んだ状態で前記シート状物品を収納し得るように形成するとともに、折り畳まれたシート状物品の先端部を前記帯状引出部から引き出し得るようになしたシート状物品のパッケージ。
【請求項２】
後壁先端を延長して蓋部となし、この蓋部は前記前壁を覆うように折り重ねることを特徴とする請求項１記載のシート状物品のパッケージ。
【考案の詳細な説明】
【技術分野】
【０００１】
本考案は、紙石鹸や顔の油取り紙などのシート状物品を一枚ずつ取り出し得るシート状物品のパッケージに係り、特に、連続シート状物品の収納に適したパッケージに関するものである。
【背景技術】
【０００２】
従来、例えば紙石鹸を一枚ずつ取り出すようになしたパッケージには、シート基材を三つに折り畳んだ中央保持部と両側の折曲片とからなり、その中央の保持部に複数枚重ねた紙石鹸をステープルで留めて保持するとともに、この保持部両側の一対の折曲片を前記紙石鹸に交互に折り重ねるように形成し、前記折曲片のうち紙石鹸に重なる一方の折曲片の内面に摩擦部材を設けてなり、前記一方の折曲片の、摩擦部材に対応する部位を軽く押さえながら紙石鹸表面に沿って引くことによって、重ねた紙石鹸の最上部の一枚のみを引き出せるようにしたものが提案されている（特許文献１）。
【先行技術文献】
【特許文献】
【０００３】
【特許文献１】実公平７−３４９１６号公報
【考案の概要】
【考案が解決しようとする課題】
【０００４】
上記従来例のパッケージは、複数枚重ねた紙石鹸を保持部に固定する手段としてステープルを用いているので、取り出す際に紙石鹸がステープル部分で破けてしまう、という不都合がある。また、本来パッケージには不要な摩擦部材が必要なため、コストアップになるという不都合がある。さらに、紙石鹸が連続シート状の場合には適用できないという不都合がある。
【０００５】
本考案は、前記のような不都合を解消することを課題とし、該課題を解決したシート状物品のパッケージを提供することを目的とする。
【課題を解決するための手段】
【０００６】
前記目的を達成するために、請求項１に係る本考案のシート状物品のパッケージは、折り兼切り部を介して単位シートが連接してなる連続シートを、折り兼切り部でジグザグ状に折り畳んでなる折り畳みシート状物品を収納するものであって、前壁と後壁を有し、両側部と底部を閉塞するとともに上部を開放し、前記前壁の中央には、開放端から底部に向って伸び、シート状物品の幅に対応する長さをもつよう帯状に切り欠いた帯状引出部を設けてなり、前記シート状物品の折り兼切り部が前記両側部内側に沿うように、かつ前記前後壁間に挟んだ状態で前記シート状物品を収納し得るように形成するとともに、折り畳まれたシート状物品の先端部を前記帯状引出部から引き出し得るようになしたものである。
【０００７】
また、請求項２に係る本考案のシート状物品のパッケージは、請求項１の構成を備え、後壁先端を延長して蓋部となし、この蓋部は前記前壁を覆うように折り重ねるものである。
【考案の効果】
【０００８】
上記請求項１に係る本考案によれば、折り畳まれた連続するシート状物品の先端を前記帯状引出部から引き出し、折り兼切り部を破断することによって、連続するシート状物品を単位シート毎に容易に取り出せるという効果を奏する。
【０００９】
また、上記請求項２に係る本考案によれば、折り重ねて前壁を覆うように形成した蓋部を設けたので、収納した折り畳みシート状物品が開放端から不用意に飛び出しにくいとともに、シート状物品を保護することができ、ポケットやバッグに入れて携帯するのに便利であるという効果を奏する。
【図面の簡単な説明】
【００１０】
【図１】図１は蓋部を開いた状態のパッケージの正面図である。
【図２】図２は蓋部で蓋をした状態のパッケージの正面図である。
【図３】図３はパッケージの展開図である。
【図４】図４は折り畳み紙石鹸の先端部を前壁に沿って右側に引き出した状態を示すパッケージの正面図である。
【図５】図５は図４のＡ−Ａ線断面図である。
【図６】図６は折り畳み紙石鹸の先端部を前壁に沿って左側に引き出した状態を示すパッケージの正面図である。
【図７】図７は折り畳み紙石鹸の一部を省略した正面図である。
【考案を実施するための形態】
【００１１】
以下に、本考案を折り兼切り用ミシン目でジグザグ状に折り畳まれた連続状態にある紙石鹸のパッケージに適用した好適な実施形態を添付図面の図１〜図７に基づいて説明する。
【００１２】
図１及び図４〜図７に示すように、パッケージ１は、単位紙石鹸２ａを折り兼切り部たる折り兼切り用ミシン目３を介して連続させた連続シートを前記折り兼切り用ミシン目３でジグザグ状に折り畳んでなる折り畳み紙石鹸２を収納するものである。前記パッケージ１は紙製であり、前壁４と後壁５を有し、両側部と底部を閉塞するとともに一端を開放して開放端６を設ける。前記前壁４の中央には、前記開放端６から底部に向って伸び、前記折り畳み紙石鹸２の幅に対応する長さをもつよう帯状に切り欠いた帯状引出部７を設ける。前記折り畳み石鹸２は、前記連続シートを折り畳んだものを２枚用いて作成されるもので、下側の始端２枚の単位紙石鹸２ａ間に上側の終端の単位紙石鹸２ａを、また、上側の終端２枚の単位紙石鹸２ａ，２ａ間に下側の始端の単位紙石鹸２ａを、それぞれ挿し込んで交互に重ね合わせてなる（図７参照）。
【００１３】
図４〜図６に示すように、前記パッケージ１は、単位紙石鹸２ａ両側の折り兼切り用ミシン目３が前記両側部内側に沿うように前記折り畳み紙石鹸２を収納可能に形成するとともに、最上面に折り畳まれた単位紙石鹸２ａを摘まんで前記帯状引出部７から引き出すことが可能なように形成してある。
【００１４】
図１及び図２に示すように、後壁５の先端を延長してなる蓋部８は、前記開放端６に沿った部分で二つ折りし、前記前壁４を覆うように形成する。また、前記蓋部８は、その先端縁中央に、後述する底部を形成するための底部片１０の凹部１１の中央内側に挿し込んで止める挿し込み部９を形成する。
【００１５】
図３に示すように、前記パッケージ１は、紙製基材１ａを折って作成するものである。前記基材１ａは、後壁片５ａの左右に前壁片４ａ，４ａを突設するとともに、同じく後壁片５ａの上下に蓋部８と底部片１０を突設して形成する。前記前壁片４ａ，４ａは、それぞれその中央で内側に二つ折りし、後壁５との境から伸びる湾曲した切り込み部１２を設ける。また、前記底部片１０は、半円弧状の凹部１１を形成するとともに、この凹部１１両端から両側部にわたって挿し込み部１３を形成する。さらに、前記蓋部８の先端縁中央には、蓋部８の前記挿し込み部９を形成する。
【００１６】
前記のように形成した基材１ａからパッケージ１を作成するには、先ず、両前壁片４ａ，４ａを内側に二つ折りし、さらに後壁片５ａに重なるように、後壁５との境で内側に折り畳み、次に、底部片１０を前記両前壁片４ａ，４ａに折り重ねるとともに、前記挿し込み部１３を前壁片４ａの前記切り込み部１２に挿し込んで完成する。
【００１７】
図５に示すように、パッケージ１に折り畳み紙石鹸２を収納するには、その単位紙石鹸２ａの折り兼切り用ミシン目３がパッケージ１の両側部に沿うようにして開放端６から挿入し、収納後は蓋部８を前記開放端に沿って前壁４側に折り重ね、先端の挿し込み部９を折り重ねた底部片１０の凹部１１の中央内側に挿し込んで開蓋しないように支持させる。
【００１８】
続いて、使用形態を説明する。先ず、挿し込み部９を底部片１０の凹部１１内側から抜いて蓋部８を開き、帯状引出部７から見える折り畳み紙石鹸２の最上面の単位紙石鹸２ａを指先で摘み前壁４に沿って一方に引き出す。ある程度引き出し単位紙石鹸２ａの折り兼切り用ミシン目３がパッケージ１の側部に対応位置したところで（図４及び図５参照）、該側部外面に折り兼切り用ミシン目３を押し当てることによって破断し、単位紙石鹸２ａを分離し、使用に供する。また、折り畳み紙石鹸２は前述のように、２枚の連続用紙を折り畳んだものの終端と始端の単位紙石鹸２ａを重ね合わして構成している（図７参照）ので、上側の紙石鹸２ａを使い切る直前に、上側の最後の２枚の紙石鹸２ａにより下側の最初の１枚の紙石鹸２ａを帯状引出部７から外部に引き出すことができる。このように、折り畳み紙石鹸２を、２枚の連続用紙を折り畳んだものの終始端を重ね合わせて構成するのは、必要枚数の単位紙石鹸２ａに対応した長さの１枚の連続シートを作成することは、紙石鹸の製造上困難だからである。
【００１９】
なお、本考案は上記実施形態になんら限定されるものではなく、例えば、紙石鹸のパッケージではなく、顔の油取り紙のパッケージなどに適用してもよいほか、基材１ａは紙製ではなく樹脂シートを使用してもよい。
【符号の説明】
【００２０】
１    パッケージ
１ａ    基材
２    折り畳み紙石鹸
２ａ    単位紙石鹸
３    折り兼切り用ミシン目
４    前壁
４ａ    前壁片
５    後壁
５ａ    後壁片
６    開放端
７    帯状引出部
８    蓋部
９    挿し込み部
１０    底部片
１１    凹部
１２    接着剤
１３    挿し込み部
【図１】
0003150968.tif 000003
【図２】
0003150968.tif 000004
【図３】
0003150968.tif 000005
【図４】
0003150968.tif 000006
【図５】
0003150968.tif 000007
【図６】
0003150968.tif 000008
【図７】
0003150968.tif 000009